(57)【要約】      （修正有）【課題】薄型で持ち運びしやすく、使用時には場所をとらずに大きく開口した状態を保ち、筆記具等を出し入れしやすく使い勝手を向上させることができるペンケースを提供する。【解決手段】表面部１１と裏面部の外周部分を接続するファスナー部１３を備え、表面部１１が、第１の表面部１１ａと、第２の表面部１１ｂと、折り曲げ可能な継目部１２とを備え、接続部が、継目部１２の両端を含まない第２の表面部１１ｂの外周部分に設けられ、ファスナー部１３が、継目部１２の両端を含み、接続部が設けられていない第２の表面部１１ｂ及び第１の表面部１１ａの外周部分に設けられ、第１の表面部１１ａの端部に第１のマグネット２１ａを備えると共に、第２の表面部１１ｂにおいて、ファスナー部１３を開いて第１の表面部１１ａが折り返された場合に第１のマグネット２１ａと接合する位置に第２のマグネット２１ｂを備えたペンケース。【選択図】図１
2020036969.tif 000002
【特許請求の範囲】
【請求項１】
表面部と裏面部とを備えるペンケースであって、
前記表面部と前記裏面部の外周部分が、接続部とファスナー部とによって接続され、
前記表面部が、第１の表面部と、第２の表面部と、前記第１の表面部と前記第２の表面部とを接続し、折り曲げ可能な部材で形成された継目部とを備え、
前記接続部が、前記継目部の両端を含まない前記第２の表面部の外周部分を前記裏面部に接続するよう形成され、
前記ファスナー部が、前記継目部の両端を含み、前記接続部が設けられていない前記第２の表面部及び前記第１の表面部の外周部分を前記裏面部に接続するよう形成され、
前記第１の表面部において、前記継目部とは反対側の端部に第１のマグネットが設けられ、
前記第２の表面部において、前記ファスナー部を開いて前記継目部から前記第１の表面部を外側に折り曲げた場合に前記第１のマグネットと接合する位置に、第２のマグネットが設けられていることを特徴とするペンケース。
【請求項２】
第１，第２のマグネットは、それぞれ、第１，第２の表面部に内蔵されていることを特徴とする請求項１記載のペンケース。
【請求項３】
第１の表面部の内側にポケットが設けられていることを特徴とする請求項１又は２記載のペンケース。
【請求項４】
ポケットの開口部が、継目部に対して略直交するよう形成されていることを特徴とする請求項１乃至３のいずれか記載のペンケース。
【請求項５】
裏面部の内側において、第２の表面部に対向する領域の端部に、収納される物品の先端との接触を防ぐ保護部が設けられていることを特徴とする請求項１乃至４のいずれか記載のペンケース。
【請求項６】
第１の表面部と、第２の表面部と、裏面部には、内部に芯材が設けられていることを特徴とする請求項１乃至５のいずれか記載のペンケース。
【発明の詳細な説明】
【技術分野】
【０００１】
本発明は、ペンケースに係り、特に、薄型で持ち運びしやすく、使用時に場所をとらずに中身を見やすい状態で保持でき、筆記具等を出し入れしやすく使い勝手を向上させることができるペンケースに関する。
【背景技術】
【０００２】
［先行技術の説明］
筆記具等を収納するペンケースとしては、箱状や袋状に形成された本体にファスナーが設けられ、ファスナーで開口部を開閉するものや、箱状の本体に平板状のフタ部が設けられて、フタ部をマグネットで開閉するものがあった。
また、収納した筆記具の出し入れを容易にするために机上に立てられる形状のものもある。
【０００３】
［関連技術］
ペンケースに関する従来技術としては、実用新案登録第３０７２８６８号公報「ペンケース等のケース」（株式会社ユニオン、特許文献１）、特開２０１２−５６９４号公報「ペンポーチ」（株式会社サカモト、特許文献２）、実用新案登録第３２０４６２９号公報「小物入れ」（株式会社加賀商会、特許文献３）がある。
【０００４】
特許文献１には、ケース本体の下端に２つ折構造の底板を配し、ステッチが下向きの略円弧状のカーブを描くよう底板と本体とを縫着して、机上で使用する際には、本体を立てて略円筒形のペン立てとして使用できるペンケースが記載されている。
【０００５】
特許文献２には、長方形のシート状の底部と、底部に続く４つの折り返し部とを備え、底部と任意の折り返し部とをマグネットで係止することにより、取り出し口の位置を任意に変更可能なペンポーチが記載されている。
【０００６】
特許文献３には、互いに重なり合って長手方向に相対移動可能な筒状の上部ケースと下部ケースとを備え、使用時には上部ケースを下げることで、筆記具の上部を立った状態で露出させて、出し入れを容易にする小物入れが記載されている。
【先行技術文献】
【特許文献】
【０００７】
【特許文献１】実用新案登録第３０７２８６８号公報
【特許文献２】特開２０１２−５６９４号公報
【特許文献３】実用新案登録第３２０４６２９号公報
【発明の概要】
【発明が解決しようとする課題】
【０００８】
しかしながら、従来のファスナーで一辺を開閉するタイプのペンケースは、ファスナーを開けた状態でも大きく開口しないために、中身が見づらく、所望の筆記具を選んだり取り出したりしにくいという問題点があった。
【０００９】
また、従来の箱型で平板状のフタ部を開閉するタイプのペンケースは、開けた状態で本体の約２倍の面積を占めることになり、狭い机上では使い勝手が悪いという問題点があった。
【００１０】
更に、従来の机上に立ててペン立てのように用いるペンケースは、底面部が設けられているため本体自体が大きくて持ち運びにくく、また、使用時には倒れて筆記具が散乱するおそれがあるという問題点があった。
【００１１】
本発明は、上記実情に鑑みて為されたもので、薄型で持ち運びしやすく、使用時には場所をとらずに大きく開口した状態を保持でき、筆記具等を見やすく出し入れしやすくして、使い勝手を向上させることができるペンケースを提供することを目的とする。
【課題を解決するための手段】
【００１２】
上記従来例の問題点を解決するための本発明は、表面部と裏面部とを備えるペンケースであって、表面部と裏面部の外周部分が、接続部とファスナー部とによって接続され、表面部が、第１の表面部と、第２の表面部と、第１の表面部と第２の表面部とを接続し、折り曲げ可能な部材で形成された継目部とを備え、接続部が、継目部の両端を含まない第２の表面部の外周部分を裏面部に接続するよう形成され、ファスナー部が、継目部の両端を含み、接続部が設けられていない第２の表面部及び第１の表面部の外周部分を裏面部に接続するよう形成され、第１の表面部において、継目部とは反対側の端部に第１のマグネットが設けられ、第２の表面部において、ファスナー部を開いて継目部から第１の表面部を外側に折り曲げた場合に第１のマグネットと接合する位置に、第２のマグネットが設けられていることを特徴としている。
【００１３】
また、本発明は、上記ペンケースにおいて、第１，第２のマグネットは、それぞれ、第１，第２の表面部に内蔵されていることを特徴としている。
【００１４】
また、本発明は、上記ペンケースにおいて、第１の表面部の内側にポケットが設けられていることを特徴としている。
【００１５】
また、本発明は、上記ペンケースにおいて、ポケットの開口部が、継目部に対して略直交するよう形成されていることを特徴としている。
【００１６】
また、本発明は、裏面部の内側において、第２の表面部に対向する領域の端部に、収納される物品の先端との接触を防ぐ保護部が設けられていることを特徴としている。
【００１７】
また、本発明は、上記ペンケースにおいて、第１の表面部と、第２の表面部と、裏面部には、内部に芯材が設けられていることを特徴としている。
【発明の効果】
【００１８】
本発明によれば、表面部と裏面部とを備えるペンケースであって、表面部と裏面部の外周部分が、接続部とファスナー部とによって接続され、表面部が、第１の表面部と、第２の表面部と、第１の表面部と第２の表面部とを接続し、折り曲げ可能な部材で形成された継目部とを備え、接続部が、継目部の両端を含まない第２の表面部の外周部分を裏面部に接続するよう形成され、ファスナー部が、継目部の両端を含み、接続部が設けられていない第２の表面部及び第１の表面部の外周部分を裏面部に接続するよう形成され、第１の表面部において、継目部とは反対側の端部に第１のマグネットが設けられ、第２の表面部において、ファスナー部を開いて継目部から第１の表面部を外側に折り曲げた場合に第１のマグネットと接合する位置に、第２のマグネットが設けられているペンケースとしているので、薄型で持ち運びしやすく、使用時に第１の表面部を外側に折り返して第２の表面部の上にマグネットで固定することにより、場所をとらずに大きく開口した状態を保持でき、筆記具等を見やすく出し入れしやすくして、使い勝手を向上させることができる効果がある。
【００１９】
また、本発明によれば、第１の表面部の内側にポケットが設けられている上記ペンケースとしているので、第１の表面部を折り返した場合に、上面にポケットが配置されて、小物の出し入れを容易にすることができる効果がある。
【００２０】
また、本発明によれば、ポケットの開口部が、継目部に対して略直交するよう形成されている上記ペンケースとしているので、第１の表面部を折り返したり戻したりする動作を行う際に、ポケットの収納物がこぼれ出るのを防ぐことができる効果がある。
【００２１】
また、本発明によれば、裏面部の内側において、第２の表面部に対向する領域の端部に、収納される物品の先端との接触を防ぐ保護部が設けられている上記ペンケースとしているので、ファスナー部と収納物の先端とが接触して、一方又は双方に傷がつくのを防ぐことができる効果がある。
【００２２】
また、本発明によれば、第１の表面部と、第２の表面部と、裏面部には、内部に芯材が設けられている上記ペンケースとしているので、変形しにくくして収納物を保護することができる効果がある。
【図面の簡単な説明】
【００２３】
【図１】本ペンケースの外観図である。
【図２】本ペンケースの使用時の状態を示す説明図である。
【図３】本ペンケースの表面部１１の表面の構成を示す正面図である。
【図４】本ペンケースの裏面の構成を示す背面図である。
【図５】本ペンケースの側面図であり、（ａ）は左側面図、（ｂ）は右側面図である。
【図６】本ペンケースを開いた状態の外側の構成を示す説明図である。
【図７】本ペンケースを開いた状態の内側の構成を示す説明図である。
【図８】本ペンケースの使用例を示す説明図である。
【発明を実施するための形態】
【００２４】
本発明の実施の形態について図面を参照しながら説明する。
［実施の形態の概要］
本発明の実施の形態に係るペンケース（本ペンケース）は、表面部と裏面部と、表面部と裏面部の外周部分を接続する接続部及びファスナー部とを備え、表面部の中ほどに折り曲げ可能な部材から成る継目部が設けられ、ファスナー部が、継目部の両端部を含む外周部分に形成され、接続部がファスナー部が設けられていない外周部分に形成されており、表面部において、ファスナー部が設けられた領域の長手方向の端部に第１のマグネットが設けられると共に、ファスナー部を開いて表面部を継目部から外側に折り曲げた場合に第１のマグネットと接合する位置に、第２のマグネットが設けられているものであり、使用時には継目部から表面部の約半分を折り曲げて、第１のマグネットと第２のマグネットを接合させることで、フタ部分を開けた状態で本体に固定でき、場所を取らずに開いた状態を保持することができ、収納した筆記具等を見やすくして、出し入れを容易にすることができるものである。
【００２５】
［本ペンケースの外観：図１］
まず、本ペンケースの外観について図１を用いて説明する。図１は、本ペンケースの外観図である。
図１に示すように、本ペンケースは、薄型の略直方体の形状で、フタ部分となる表面部１１と底部分となる裏面部１５（図１では省略）とが、接続部１６及びファスナー部１３によって接続された構成であり、ファスナー部１３を開閉して、表面部１１と裏面部１５との間のスペースに筆記具等を収納するものである。
このように、本ペンケースは薄型の形状としているため、ペン立てになるような底面の大きい略筒型の形状のものに比べて持ち運びが容易である。
【００２６】
表面部１１は、第１の表面部１１ａと、第２の表面部１１ｂと、折り曲げ可能な部材から成る継目部１２とを備えており、ファスナー部１３を、継目部１２の両端部が開放されるように開けると継目部１２から第１の表面部１１ａを外側に折り曲げ可能となっている。表面部１１の構成については後述する。
【００２７】
そして、本ペンケースの特徴として、本ペンケースの表面部１１の長手方向の両端に近いところに、それぞれマグネットが内蔵されている。具体的には、第１の表面部１１ａの端部には第１のマグネット２１ａが設けられ、第２の表面部１１ｂの端部には第２のマグネット２１ｂが設けられている。
マグネット２１ａと２１ｂは、第１の表面部１１ａを外側に折り曲げた場合に互いに接合する位置に設けられている。
【００２８】
尚、本実施の形態では、例として、ペンだけでなくハサミやコンパス等の文具も収納しやすいよう、幅を広くした矩形形状のペンケースを示しているが、持ち運びしやすいように、幅をより狭くした形状としてもよい。
【００２９】
［使用時の状態：図２］
次に、本ペンケースの使用時の例について図２を用いて説明する。図２は、本ペンケースの使用時の例を示す説明図である。
図２に示すように、本ペンケースを使用する際に、例えば、ファスナー部１３を継目部１２の両端が開放されるまで開けて、第１の表面部１１ａを継目部１２から外側に折り返す。
これにより、第１のマグネット２１ａと第２のマグネット２１ｂとが接合して、折り返された第１の表面部１１ａを第２の表面部１１ｂに密着させた状態で固定することができるものである。
【００３０】
つまり、本ペンケースは、図２に示すように、フタを開けた状態で保持できるため、収納している筆記具等を見やすく取り出しやすくするものである。
更に、フタを開けた状態でもかさばらず、フタが固定されて邪魔にならないため、狭い場所でも使いやすいものとなっている。
【００３１】
尚、使用時にファスナー１３を全開にして本ペンケースを平らに開くことも可能である。
全開にすることにより、収納物を見やすく取り出しやすく、更に、ペンケースの掃除をしやすくなるものである。
【００３２】
更に、第１の表面部１１ａの内側にはポケット３２が設けられている。
ポケット３２の開口部は、本ペンケースの長手方向に沿って設けられており、横方向に出し入れする構成である。
これにより、第１の表面部１１ａを折り返す動作を行っても、ポケットに収納した消しゴムやクリップ等の小物がこぼれ落ちないようにすることができるものである。
【００３３】
［表面の構成：図３］
次に、本ペンケースの表面部１１の表（おもて）面の構成について図３を用いて説明する。図３は、本ペンケースの表面部１１の表面の構成を示す正面図である。
図３に示すように、本ペンケースの表面部１１は、全体として角が丸みを帯びた略矩形の形状に形成されており、第１の表面部１１ａと、第２の表面部１１ｂと、第１の表面部１１ａと第２の表面部１１ｂとを接続する継目部１２とを備えている。
また、表面部１１の外周部分には、裏面側の裏面部１５と接続するファスナー部１３及び接続部１６が設けられている。
【００３４】
接続部１６は、第２の表面部の外周部分の内、継目部１２の両端を含まない領域に設けられる。
図３の例では、接続部１６は、第２の表面部において継目部１２に略直交する２辺の内の一辺のみに設けられているが、これに限らず、例えば、図３の接続部１６を継目部１２とは反対方向に延長して、第２の表面部１１ｂの他の２辺に亘って外周部分のほとんどを含むように形成してもよい。この場合にも、接続部１６は継目部１２の端部を含まないように形成される。
【００３５】
ファスナー部１３は、継目部１２の両端を含む表面１１の外周部分に形成され、本ペンケースの外周の半分以上に亘って形成されている。
具体的には、ファスナー部１３は、図３において、第２の表面部１１ｂの左側の辺に形成された接続部１６の一端に接続し、当該一端から、第１の表面部１１ａの左側の辺、上側の辺、右側の辺を通って、第２の表面部１１ｂの右側の辺、下側の辺、左側の辺まで設けられ、接続部１６の他端に接続されている。
【００３６】
継目部１２の両端を含むようにファスナー部１３を設けることにより、継目部１２の両端を裏面部１５から分離させることができ、後述するように第１の表面部１１ａを継目部１２から外側に折り返すことができるものである。
【００３７】
更に、第１の表面部１１ａの先端部（図３では上端部分）には第１のマグネット２１ａが内蔵され、第２の表面部１１ｂの先端部（図３では下端部分）には第２のマグネット２１ｂが内蔵されている。
第１のマグネット２１ａと第２のマグネット２１ｂとは、ファスナー部１３を開けて第１の表面部１１ａを略１８０度外側に折り曲げた場合に互いに接合する位置に設けられている。
尚、第１のマグネット２１ａ及び第１のマグネット２１ｂを内蔵ではなく、第１の表面部１１ａ及び第２の表面部１１ｂの表面に設けることも可能である。
【００３８】
第１の表面部１１ａ及び第２の表面部１１ｂは、ポリエステル等の外側生地で形成されている。
また、第１の表面部１１ａ及び第２の表面部１１ｂには、形状を保持し収納物を保護するために、内部に芯材が設けられており、変形しにくくなっている。
図３の例では、第１の表面部１１ａと第２の表面部１１ｂとは継目部１２を中心としてほぼ対称な形状に形成されている。
【００３９】
継目部１２は、第１の表面部１１ａを外側に折り返し可能とするための構成であり、表面部１１の中央付近で、第１の表面部１１ａと第２の表面部１１ｂとの間に設けられている。
継目部１２は、ポリエステル等から成る継目生地で形成され、芯材は設けられておらず、折り曲げ可能に形成されている。
【００４０】
継目部１２の幅は、第１の表面部１１ａが第２の表面部１１ｂに密着するよう、約１８０度折れ曲がるのに十分な幅としており、第１の表面部１１ａ及び第２の表面部１１ｂの厚みに応じて形成される。尚、継目部１２には芯材が設けられていないので、ペンケースの強度を保持するためには、継目部１２の幅は必要十分な程度とすることが望ましい。
【００４１】
また、本実施の形態では、継目部１２を表面部１１のほぼ中央に形成しているので、開口部分を大きくできると共に、折り返したフタ部分が本体と重なって邪魔にならず、狭い机上でも使い勝手を向上させることができるものである。
但し、継目部１２の位置は中央付近に限るものではなく、図３において中央より上側又は下側であってもよい。
【００４２】
また、ファスナー部１３は、引き手１３１を備えており、引き手１３１を持ってスライドさせることにより、ファスナーが閉じて表面部１１と裏面部１５とを接続したり、表面部１１と裏面部１５とを分離して開いた状態とする。
図３の例では、ファスナー部１３は単一の引き手１３１を備えたものとしているが、２つの引き手を設けて、左右いずれの方向からも開閉できるようにしてもよい。
【００４３】
ファスナー部１３を開き、継目部１２の両端が裏面部１５から分離された状態とすると、第１の表面部１１ａを外側に折り返すことができ、継目部１２が変形することにより、第１の表面部１１ａが第２の表面部１１ｂに密着するまで（約１８０度）開くことが可能である。
【００４４】
そして、第１の表面部１１ａが第２の表面部１１ｂに密着するまで開くと、第１の表面部１１ａに内蔵された第１のマグネット２１ａと第２の表面部１１ｂに内蔵された第２のマグネット２１ｂとが接合して、図２に示したように、第１の表面部１１ａを開いた状態で固定することができるものである。
【００４５】
これにより、使用時には、場所を取らずに本ペンケースを大きく開けた状態で保持して、中身を見やすく取り出しやすくすることができると共に、収納部分が薄型であるため、ペン等が重ならず、見やすくすることができる。
また、ファスナー部１３を全体に亘って開くと、表面部１１と裏面部１５とを見開き状態に開くことができ、収納物全体を確認することができる。
【００４６】
尚、第１の表面部１１ａと継目部１２及びファスナー部１３、第２の表面部１１ｂと継目部１２、ファスナー部１３、接続部１６とは、それぞれステッチによって縫合されている。
【００４７】
［裏面の構成：図４］
次に、本ペンケースの裏面の構成について図４を用いて説明する。図４は、本ペンケースの裏面の構成を示す背面図である。
図４に示すように、本ペンケースの裏面には、裏面部１５が設けられている。
裏面部１５は、第１の表面部１１ａ、第２の表面部１１ｂと同様の外側生地で形成され、内部に芯材が設けられている。
これにより、裏面部１５は変形しにくく形成され、収納物を保護するのに十分な強度を備えている。
【００４８】
また、図４において、裏面部１５の外周部分の内、右側の辺の下側（第２の表面部１１ｂに対向する部分）には、接続部１６が設けられ、接続部１６が設けられていない外周部分には、ファスナー部１３が設けられている。
裏面部１５とファスナー部１３及び側面部１６とはステッチによって縫合されている。
【００４９】
［側面の構成：図５］
次に、本ペンケースの側面の構成について図５を用いて説明する。図５は、本ペンケースの側面図であり、（ａ）は左側面図、（ｂ）は右側面図である。尚、図５ではファスナー部１３の引き手１３１は省略している。
図５（ａ）（ｂ）に示すように、本ペンケースは左側面に接続部１６を備えている。
また、ファスナー部１３が、左側面の接続部１６の上端から本ペンケースの左側面、上面、右側面、下面（図５の底面）を通って、接続部１６の下端に接続するよう設けられている。
【００５０】
接続部１６は、表面部１１及び裏面部１５と同じ外側生地で形成されている。
接続部１６とファスナー部１３とはステッチによって縫合されて接続され、更に表面部１１及び裏面部１５と接続されている。
【００５１】
尚、本ペンケースでは、接続部１６を設けた箱型の構成としているが、接続部１６を設けずに、ファスナー部１３が設けられていない外周部分の領域については、表面部１１と裏面部１５とを直接縫い合わせた袋状の構成とすることも可能である。
【００５２】
［開いた状態（外側）：図６］
次に、本ペンケースを開いた状態の外側について図６を用いて説明する。図６は、本ペンケースを開いた状態の外側の構成を示す説明図である。
図６では、本ペンケースのファスナー１３を全開にした状態を示しており、向かって右側の表面部１１と左側の裏面部１５とが、接続部１６によって接続されている。
ファスナー部１３が、接続部１６を除く外周部のほぼ全周に亘って設けられているため、図６に示すように略平面状に開くことが可能である。
【００５３】
［開いた状態（内側）：図７］
本ペンケースを開いた状態の内側について図７を用いて説明する。図７は、本ペンケースを開いた状態の内側の構成を示す説明図である。
図７では、向かって左側に表面部１１、右側に裏面部１５を示しており、表面部１１、裏面部１５、接続部１６の内側全体には、内側生地３１が設けられており、その上に消しゴム等を収納するポケット３２が形成されている。
【００５４】
内側生地３１は、伸縮性のあるナイロン等の生地で形成されており、第１の表面部１１ａが折り曲げられる際には、継目部１２の裏側付近の内側生地３１が十分伸びて変形する。
内側生地３１が継目部１２を覆うように内側全体に形成されることにより、折り曲げ動作を妨げることなく、強度を補うことができるものである。
表面部１１及び裏面部１５に内蔵されている芯材は、外側生地と内側生地３１との間に設けられている。
【００５５】
ポケット３２は、内側生地３１で形成され、第１の表面部１１ａの内側に相当する領域に設けられており、図２に示したように、第１の表面部１１ａを折り返した際に上面（表面）になるよう配置されている。
また、ポケット３２の開口部は斜めにカットされており、開口面積を広くしている。
これらにより、小物の出し入れを容易にするものである。
【００５６】
また、図７の例では、ポケット３２の開口部は向かって左側に形成されている。
このように、ポケット３２の開口部を本ペンケースの長辺方向に合わせた向きとして、ポケット３２の上側と下側を閉じることにより、第１の表面部１１ａの折り返し動作に伴ってポケットの収納物がこぼれ出るのを防ぐことができるものである。
ポケット３２の開口部を右側に形成してもよい。
更に、ポケット３２にはマチ３２ａが形成されており、小物等の収納量を増やすことができ、紙片等の薄いものだけでなく、消しゴム等の厚みのあるものも収納可能としている。
【００５７】
更にまた、図７に示すように、本ペンケースの内側において、裏面部１５のポケット３２と対向しない部分の端部に（図７では裏面部１５の下側の辺）、防護壁４１が設けられている。
防護壁４１は、内側生地３１と同じ素材で形成され、本ペンケースに収納されたシャープペンシルやハサミ等の先端部分が、図７に示した裏面部１５の下の辺に形成されたファスナー部１３に当たって、ファスナー部１３や収納物が傷むのを防ぐための保護部である。
これにより、収納物の先端部分がファスナー部１３に接触しないようにして、ペン先等がファスナー部１３に刺さってファスナー部１３が損傷したり、収納物に傷がついたりするのを防ぐことができるものである。
【００５８】
［本ペンケースの使用例：図８］
本ペンケースの使用例について図８を用いて説明する。図８は、本ペンケースの使用例を示す説明図である。
図８では、本ペンケースのファスナー部１３を中ほどまで開け、第１の表面部１１ａを外側に折り返して、第１のマグネット２１ａ、第２のマグネット２１ｂを接合させた状態を示している。
このように、各種ペンやハサミ、定規等の収納物が一目で見やすく収納できるので、所望の収納物を取り出しやすい。また、消しゴムはポケット３２に収納することで、筆記具の下側や奥の方に紛れ込んでしまうのを防ぐことができる。
【００５９】
［発明の効果］
本発明に係るペンケースによれば、フタ部となる表面部１１と、底部となる裏面部１５と、表面部１１と裏面部１５とを接続する外周部分に設けられたファスナー部１３とを備え、表面部１１が、第１の表面部１１ａと、第２の表面部１１ｂと、第１の表面部１１ａ及び第２の表面部１１ｂを接続し折り曲げ可能な部材から成る継目部１３とを備え、ファスナー部１３が、継目部１２の両端部分を含む外周部分に設けられ、接続部１６が、継目部１２の両端部分を含まずファスナー部１３が設けられていない外周部分に設けられ、第１の表面部１１ａに第１のマグネット２１ａが内蔵されると共に、第２の表面部１１ｂにおいて、ファスナー部１３を開いて第１の表面部１１ａが折り返された場合に第１のマグネット２１ａと接合する位置に第２のマグネット２１ｂを内蔵したペンケースとしているので、フタ部分を開いてマグネット２１ａ，２１ｂを接合させて、フタ部分が開いた状態を保持することができ、収納した筆記具等を見やすくし、出し入れを容易にすることができる効果がある。
【００６０】
また、本ペンケースの例では、継目部１２を本体の長手方向の中央付近に設け、第１の表面部１１ａと第２の表面部１１ｂとをほぼ対称となる形状としているので、第１の表面部１１ａを折り返した際に開口部分を大きくできると共に、第１の表面部１１ａが第２の表面部１１ｂとぴったりと重なり、広げたフタ部が場所をとらず、コンパクトで、狭い机上でも使いやすいという効果がある。
【００６１】
また、本ペンケースによれば、第１の表面部１１ａの内側にポケット３２を設け、ポケット３２の開口部を継目部１２に対して略直交する方向に形成しているので、消しゴム等の短くて厚みのあるものがペン等の下に紛れないように収納でき、第１の表面部１１ａを継目部１２から折り返したり戻したりする動作を行っても、ポケット３２の収納物がこぼれにくいという効果がある。
【００６２】
また、本ペンケースによれば、裏面部１５の内側に、収納物の先端がファスナー部１３に接触するのを防いで保護する防護壁４１を設けているので、ファスナー部１３及び収納物の先端部が傷つくのを防ぐことができる効果がある。
【００６３】
尚、本実施の形態では筆記具を収納するペンケースとして説明したが、用途は限定されるものではなく、例えば、小物入れ、メイクや裁縫等の道具入れ、ポーチ、小型バッグ等として用いることも可能である。
また、表面部１１及び裏面部１５の形状を略長方形としたが、これに限るものではなく、例えば楕円形などでもよい。
【産業上の利用可能性】
【００６４】
本発明は、薄型で持ち運びしやすく、使用時に場所をとらずに大きく開口した状態を保持でき、筆記具等を出し入れしやすく使い勝手を向上させることができるペンケースに適している。
【符号の説明】
【００６５】
１１…表面部、  １１ａ…第１の表面部、  １１ｂ…第２の表面部、  １２…継目部、  １３…ファスナー部、  １５…裏面部、  １６…接続部、  ２１ａ…第１のマグネット、  ２１ｂ…第２のマグネット、  ３１…内側生地、  ３２…ポケット、  ３２ａ…マチ、  ４１…防護壁、  １３１…引き手
【図１】
2020036969.tif 000003
【図２】
2020036969.tif 000004
【図３】
2020036969.tif 000005
【図４】
2020036969.tif 000006
【図５】
2020036969.tif 000007
【図６】
2020036969.tif 000008
【図７】
2020036969.tif 000009
【図８】
2020036969.tif 000010